(57)【要約】      （修正有）【課題】災害時には道に組立てて、用便できる様にした、折り畳み出来る、大集合、災害用に使用できるトイレを提供する。【解決手段】災害時に大量に輸送出来て、小面積の場所においても積み重ねで貯蔵できて、災害時には、即、組立出来る様に構成してあって、底なしの箱状の取付枠体２の上部に板を介して用便器１２を取付けるとともに、取付枠体２の下部に尿便器７及脚６を取り付け設置することにより大災害時に容易に使用出来る。【選択図】図１
2011212404.tif 000002
【特許請求の範囲】
【請求項１】
本体１の中央部辺に、底無しの箱状の取付枠体２を臨ませて、該取付枠体２の各隅部に、輪片４、４ａを設けた取付杆３、３ａを取付けて、輪片４、４ａに脚６、６ａをそれぞれ嵌着して、地面上に突立て、取付枠体２の下部に尿便器１１を底部を地面上に設置するとともに用便器１１の開口部を、取付枠体２の上枠に取掛けるとともに当接したその開口部の上部を延長して十字状に切設して設けた用布１５を、取付枠体２前後左右の各側面部に機下げして、中央辺に用使孔口を有して各隅を切取した敷板２０で蓋をして、本体１の下部を形成して、該本体１上部に取付杆３、３ａを上方に延長し介して輪体片９、９ａを設けて該輪９、９ａに支持筒１１、１１ａを嵌着して、該支持筒１１、１１ａの間に角じょう状の便器２４を下部中  部に流入筒２５を取付して上部を形成して本体を構成して成ることを特徴とするトイレ。
【発明の詳細な説明】
【技術分野】
【０００１】  本発明は、大集会、災害用に於けるトイレに関する
【背景技術】
【０００２】  本発明は、大集会、災害時において、速やかに組立て出来る軽便な折り畳み出来るトイレに関する【０００３】  従来より、大集会、災害時において、特に男子用としての様なものは用意されて無いので、非常時必要な時には移動設置してある、ボックストイレで男女共用で使用されているものである。【０００４】  災害時において、ボックストイレは大型であるので、一回の貨物自動車でも数個しか輸送出来ないものであった。【０００５】  本発明は、これを折畳み出来て容易に組立てできるので、貨物自動車１台で大量に積載輸送出来る、簡易なトイレである
【発明の概要】
【発明が解決する課題】
【０００６】  以上にのべた様に、従来より男子も大集会などにおいても特に設けられてある、移動ボックストイレを共用で使用しているものであった。
【０００７】  本発明は、この様な従来より、大集会、災害時に数個設置して、一時行列してまで待つ等の問題を解決しようとするものであり、大集会、災害時において、男子用としてのトイレを実現することを目的とする。
【問題を解決するための手段】
【０００８】  上記に述べた様に、大集会などで、時に各ボックス前に、男女共用のため行列までして待つ事がなくなるものである
【課題を解決するための手段】
【０００９】  そこで本発明は、上記の目的を達成するために、折畳出来てまた容易に速やかに、組立が出来る様にしたもので、特に男子トイレを各々設けて、かつ輸送時においても、大量に積載、運搬出来て、更に軽量であって、小型に折畳出来てあるので、小面積の場所でも積重ね出来るので、大量に貯蔵できて、大集合、災害時には、速やかに組立て設置し得ることが出来るようにして構成し設けたものである。
【００１０】  また、課題解決の更なる作用は、大集会、災害の際に各このトイレを配設したことによって、倍数回の使用度を増加すると云う効果を発揮する。
【発明の効果】
【００１１】  上述したように、本発明のトイレ、特に男子用トイレは、大集合、災害時において、その人員に足る該トイレを備蓄しておいて、災害集合時には、容易に組立出来る男女用のトイレを提供出来る。
【００１２】  また使用後の処理は、図示してないが、ボックストイレと同様に処置出来るとともに、用便袋１６をそのままにして本体を有して、その用便袋１２の用布を折内に裏返して、チャック１７を締めるとともに左右の用布１８、１８ａを折合せて上部の支持孔口に、図示してないが鍵などで吊上げて処理所に運送して処理をする。
【図面の簡単な説明】
【００１３】
【図１】  本発明の実施形態を示す断面正面図
【図２】  同上部の上面から見た上面図
【図３】  同下部の上面から見た上面部
【図４】  同用布の上面から見た上面部
【発明を実施するための形態】
【００１４】  以下、本発明の形態を図１〜図４に基づいて説明する。
【００１５】  図において、１は本発明の本体で、該本体１の中央辺に、折畳可能で、底を有しない箱状の取付枠体２を臨かせるとともに、該取付枠体２の各隅部に短形状の取付杆３、３ａを取付して、その上部に輪片４を取付けするとともに、その下部に小片５を介して取付枠体２より少しく離してそれぞれ取付けして、該各輪片４、４ａに脚６をそれぞれ嵌合して、地面上に各八字状にして突立して設置して、この取付枠体２の箱枠内に、後述する尿便器７を取付けして、本体１の下部面部を形成しておいて、中央部に用便孔口をする蓋板２０で、その下部面に該蓋板２０の外線より少しく内面部下部面方向に下向の縁を設けて、尿便器７の隅部も少しくおさえる様にして蓋２０をして、該蓋２０縁部を通過して本体１の上面部を先ず取付枠３、３ａを取付枠体２に固着して、取付枠３、３ａと同長に延長して設けた取付片８、８ａの下部に輪片９、９ａを取付するとともに、その上部に小片１０、１０ａを介し輪片９、９ａを取付けて、該各綸片９、９ａに支持筒１１、１１ａを各断面逆八字状に嵌合するとともに、該支持筒１１、１１ａの各延長箱状の線内、後述する用便器１２、１２ａを、その下部の尖部分を切取って通水筒１３を取付けして本体上部面を形成して、上下部で一体の男子用のトイレ１４を設けて、本体１を構成する。
【００１６】  この際、本体１は自在に一定の大きさに設けて構成出来るとともに、数種に用意した用便器１２を袋収体のものを使用した場合には、袋内部に防水用のものを塗布して水漏れを防止するものである。
【００１７】  上記の尿便器１２は、第２図で示す如く、一定量の入量の袋状の尿便器１２内面に、耐水性のものを塗布したものである。
【００１８】  尚、上記の取付杆３、３ａは、取付枠体２の上縁を境にして、その上下の各上部は境上部に輪片９を直接それぞれ取付けするとともに、該輪片９のその上部に小片５を介して少しく離して、それぞれ取付けて該各輪片９、９ａに支持筒１１が逆八字状に臨ませて取付け出来る様に設ける。
【００１９】  更に、上記に示した用便器１２は第２図に示した如く、取付けした袋体状の用便器１２の開口部を後述する各用布に延長するとともに、その各延長部を断面十字状に折込布を設けて他の各角部を切取りして用布１５、１５ａ、１６、１６ａを設けて形成する。
【００２０】  この際、更に上記の断面逆漏斗状に設けてある便器１７は、中央部に小孔口１８を有する基盤１９を用いて、該基盤１９の孔口２０に通水筒１３を差入れて、取付枠体２の用布１５上に載置して取付けて設ける。
【００２１】  この際、図面においてその前後の各用布１５、１５ａは、取付本体位の所定長さにして各用布や各先端部にチャック２１を取付けて設けるとともに、左右の各用布１６ｂ、１６ｃは用布１５、１５ａより倍位の長さにして、更に布も用布２２の中位の布にして、そして先端部に、取付本体の左右下部に穿設した止片２３に止付け出来るようにそれぞれ設けて形成する。
【００２２】  この際、更に断面じょう斗状に設けてある便器１７は、一端に小孔口１８を有する基盤２１を用いて、尿便器７を、取付枠体２の各用布１５、１６、１６ａ上に載置して取付けて、基盤１９、小孔口１８に尿便器７の通水筒１３を差込んで形成する。
【００２３】  以上のトイレ１４はすべて男子用に使用するものである。
【００２４】  本発明は、上記のように、大集合、災害として、個人的に非難場所に相当数用意しておけば、一度災害に会えば、常時使用しているトイレが不可となれば、速かに組立て出来て、使用し得ることが出来るなどの特徴を有するものである。
【符号の説明】
【００２５】  １・・・本体
２・・・取付枠体
３・・・取付杆
４・・・輪片
５・・・小片杆
６・・・脚
７・・・尿便器
８・・・取付片
９・・・輪片
１０・・・小片
１１・・・支持筒
１２・・・用便器
１３・・・筒水筒
１４・・・トイレ
１５・・・用布（前後）
１６・・・用布（左右）
１７・・・便器
１８・・・チャック
２０・・・蓋盤
【図１】
2011212404.tif 000003
【図２】
2011212404.tif 000004
【図３】
2011212404.tif 000005
【図４】
2011212404.tif 000006